(57)【要約】【課題】改ざんが露見しやすく、改ざん防止機能に優れた包装箱を提供する。【解決手段】包装箱の筒状の本体１と底部３とを一体化し、開封するときは、本体１に接続された蓋部２の蓋片１１のミシン目１１ｂを切断してつまみ１６を引き起こし、このつまみ１６を引っ張り上げることにより、本体１内側の内壁片８の係止孔８ａに係止された蓋部２の差込片１２の係止爪１３を、わずかに変形させて係止孔８ａから抜き出すようにした。この構成によれば、改ざんを行うと蓋片１１のミシン目１１ｂの切断が一目でわかるので、改ざんしようとする者に心理的に圧力をかけて、効果的に改ざんを防止することができる。【選択図】図５
2014108819.tif 000002
【特許請求の範囲】
【請求項１】
筒状の本体の一端の開口が蓋部で、他端の開口が底部でそれぞれ塞がれた包装箱において、前記底部が前記本体の他端の開口を塞いだ状態で本体と一体化されており、前記蓋部は、前記本体の一端の開口の縁部に接続され、その開口を覆う蓋片と、前記蓋片の先端に接続された差込片とを有し、前記差込片を本体の内部に差し込んで本体の内側に設けられた内壁片と対向させることにより、前記差込片から切り起こされた係止爪が前記内壁片に設けられた係止孔に入り込んで係止されるものであり、この蓋部の蓋片に、前記係止爪を係止孔から引き抜くときにつまみとされる部位を切り起こすためのミシン目が設けられていることを特徴とする包装箱。
【請求項２】
前記ミシン目を、前記蓋片の側縁から差込片との境界にかけて設けたことを特徴とする請求項１に記載の包装箱。
【請求項３】
前記蓋片の側縁に切欠きを設け、この切欠きから前記ミシン目を設けたことを特徴とする請求項２に記載の包装箱。
【発明の詳細な説明】
【技術分野】
【０００１】
本発明は、不正に開封されることを防止する機能を備えた包装箱に関する。
【背景技術】
【０００２】
商品を収容した状態で店頭に陳列される包装箱は、その商品を盗み取る等の目的で不正に開封されることがある。このため、従来、不正な開封（以下、「改ざん」という。）を防止する機能を備えた包装箱が種々提案されている。
【０００３】
例えば、特許文献１に記載された包装箱は、四角筒状の本体の一端開口を塞ぐ蓋部を、本体の開口の縁部に接続され、その開口を覆う蓋片と、蓋片の先端に接続され、係止孔が設けられた差込片とからなるものとし、その差込片を本体の内部に差し込むことにより、本体の内側に設けられた係止片の先端部が差込片の係止孔に入り込み、差込片を本体から引き抜こうとすると、差込片の係止孔に係止片が引っ掛かるようにしている。また、本体の他端の開口を塞ぐ底部は、その開口の縁部に接続された２つの底片の一部どうしを重ねて接着固定したものであり、本体と一体化されている。したがって、改ざんをしようとする者が蓋部または底部を大きく変形させることなく開けることは困難である。
【０００４】
一方、この包装箱を消費者が開封する際は、蓋部の蓋片と差込片との境界部分に形成されたミシン目等の開封用切込を切断することにより、容易に蓋片のみを開けられるようになっている。
【先行技術文献】
【特許文献】
【０００５】
【特許文献１】特開２００７−２３８１４８号公報
【発明の概要】
【発明が解決しようとする課題】
【０００６】
しかしながら、上記特許文献１に記載された包装箱は、蓋部の蓋片と差込片との境界部分に開封用切込が形成されているため、改ざんを行う者が消費者と同様に開封用切込を切断して開封した後に蓋片を閉じておけば、蓋片の切断部分が本体の一端の開口縁と隣接する状態となり、外観上は改ざんされたことがわかりにくい。このため、必ずしも効果的に改ざんを防止できないという問題がある。
【０００７】
そこで、本発明は、改ざんが露見しやすく、改ざん防止機能に優れた包装箱を提供することを課題とする。
【課題を解決するための手段】
【０００８】
上記の課題を解決するために、本発明の包装箱は、筒状の本体の一端の開口が蓋部で、他端の開口が底部でそれぞれ塞がれた包装箱において、前記底部が前記本体の他端の開口を塞いだ状態で本体と一体化されており、前記蓋部は、前記本体の一端の開口の縁部に接続され、その開口を覆う蓋片と、前記蓋片の先端に接続された差込片とを有し、前記差込片を本体の内部に差し込んで本体の内側に設けられた内壁片と対向させることにより、前記差込片から切り起こされた係止爪が前記内壁片に設けられた係止孔に入り込んで係止されるものであり、この蓋部の蓋片に、前記係止爪を係止孔から引き抜くときにつまみとされる部位を切り起こすためのミシン目が設けられている構成とした。
【０００９】
上記の構成では、底部は本体と一体化されており、蓋部の差込片を本体から引き抜こうとすると、差込片の係止爪が本体の内側に設けられた内壁片の係止孔に引っ掛かるようになっているので、蓋部または底部を変形させることなく開けることが困難である。一方、消費者が開封する際は、蓋部の蓋片に設けられたミシン目を切断して、ミシン目で区画されていた蓋片の一部をつまみとして引き起こし、このつまみを引っ張ることにより、係止爪を変形させながら係止孔から引き抜いて、容易に蓋部を開けることができる。しかも、一旦ミシン目を切断して蓋部を開けると、つまみとした部位を押し戻したとしても、ミシン目の切断が一目でわかるので、改ざんしようとする者に心理的に圧力をかけて改ざんを防止することができる。
【００１０】
ここで、前記ミシン目を、前記蓋片の側縁から差込片との境界にかけて設けるようにすれば、ミシン目の切断およびつまみの引き起こしが容易に行えるようになる。このとき、前記蓋片の側縁に切欠きを設け、この切欠きから前記ミシン目を設けるようにすれば、ミシン目がさらに切断しやすくなる。
【発明の効果】
【００１１】
本発明の包装箱は、上述したように、底部が本体と一体化され、蓋部の差込片を本体から引き抜こうとすると、差込片の係止爪が本体内側の内壁片の係止孔に引っ掛かって、蓋部または底部を無理に変形させなければ開けることができず、蓋部の蓋片のミシン目を切断して引き起こしたつまみを引っ張って蓋部を開けると、ミシン目の切断が一目でわかるようにしたものであるから、効果的に改ざんを防止することができる。
【図面の簡単な説明】
【００１２】
【図１】実施形態の包装箱の展開図
【図２】実施形態の包装箱を組み立てた状態の外観斜視図
【図３】図２の要部の一部切欠き正面図
【図４】図２のIV−IV線に沿った断面図
【図５】ａ〜ｃは、それぞれ実施形態の包装箱の開封手順の説明図
【発明を実施するための形態】
【００１３】
以下、図面に基づき、本発明の実施形態を説明する。この包装箱は、図１および図２に示すように、１枚の紙製の素材シートを打ち抜いて組み立てたもので、組立状態で筒状となる本体１と、本体１の一端の開口を塞ぐ蓋部２と、本体１の他端の開口を塞ぐ底部３とで構成されている。
【００１４】
前記本体１は、それぞれ矩形に形成された前面部４、右側面部５、後面部６および左側面部７を備え、そのうちの互いに接続されたものどうしの境界には、組み立ての際に折り曲げやすくするための罫線（図1中の細線、以下同じ。）が形成されている。
【００１５】
この本体１の前面部４は、上辺に略矩形の内壁片８が、左側辺に台形状の糊付部９がそれぞれ罫線を介して接続されている。その内壁片８は、組立状態で本体１の内側に折り込まれるもので、後述するように蓋部２を係止するための舌状の係止孔８ａが、その先端側を前面部４との境界に向けて設けられている。糊付部９は、左側面部７の裏面に重ねられて接着剤で接着固定されるものである。
【００１６】
右側面部５の上下辺および左側面部７の上下辺には、それぞれ略矩形のサイドフラップ１０が罫線を介して接続されている。これらの各サイドフラップ１０は、組立状態で本体１の内側に向けて略直角に折り曲げられ、右側面部５および左側面部７と蓋部２および底部３との隙間を塞ぐものである。各サイドフラップ１０の先端側は接続端側よりもわずかに幅狭に形成されており、これにより箱全体が組み立てやすくなっている。
【００１７】
そして、後面部６の上辺に蓋部２が、下辺に底部３がそれぞれ接続されている。
【００１８】
前記蓋部２は、本体１の一端開口の縁部となる後面部６上辺に罫線を介して接続された蓋片１１と、蓋片１１の先端に罫線を介して接続された差込片１２とからなる。そして、組立状態では、蓋片１１が本体１の内側に向けて略直角に折り曲げられて本体１の一端開口を覆い、差込片１２が蓋片１１に対して略直角に折り曲げられ、本体１の内部に差し込まれる。
【００１９】
この蓋部２の蓋片１１は、矩形に形成され、一方の側縁に三角形状の切欠き１１ａが設けられている。そして、この切欠き１１ａの底部から差込片１２との境界にかけて、後述するように開封時につまみとされる部位を切り起こすための円弧状のミシン目１１ｂが設けられている。なお、ミシン目の代わりに線状の薄肉部等を設けて、つまみの切り起こしができるようにしてもよい。
【００２０】
差込片１２は、略矩形に形成されており、中央部に底の広いＵ字状の切込１２ａが形成され、この切込１２ａによって区画された台形状の係止爪１３が切り起こされている。そして、図３および図４に示すように、本体１の内部に差し込まれたときに、本体１の内側の内壁片８と対向し、係止爪１３が内壁片８の係止孔８ａに入り込むようになっている。
【００２１】
前記底部３は、本体１の他端開口の縁部となる後面部６下辺に罫線を介して接続された底片１４と、底片１４の先端に罫線を介して接続された糊付片１５とからなる。底片１４と糊付片１５との間の罫線の両側には、切込３ａが形成されている。そして、組み立ての際には、底片１４が本体１の内側に向けて略直角に折り曲げられて本体１の他端開口を覆い、糊付片１５が底片１４に対して略直角に折り曲げられ、接着剤を塗布された状態で本体１の内部に差し込まれて接着固定される。このとき、底片１４と糊付片１５との間の切込３ａに、右側面部５および左側面部７の下辺側のサイドフラップ１０の一部が入り込むようになっている。
【００２２】
この包装箱の組立手順は、まず、紙製の素材シートを打ち抜いて、図１に示した展開状態の外形形状を形成する。その後、各部位間の罫線、内壁片８の係止孔８ａ、蓋片１１のミシン目１１ｂ、差込片１２のＵ字状の切込１２ａおよび底部３の両側の切込３ａを形成する。
【００２３】
次に、本体１の糊付部９に接着剤を塗布した状態で、本体１の各部を折り曲げて四角筒状とし、糊付部９を左側面部７の裏面に重ねて接着固定する。そして、本体１の下辺側の２つのサイドフラップ１０を折り曲げた後、底部３の糊付片１５に接着剤を塗布した状態で、底片１４および糊付片１５を折り曲げ、糊付片１５を本体１の内部に差し込んで前面部４の裏面に接着固定する。これにより、底部３が本体１の他端開口を塞いだ状態で本体１と一体化される。
【００２４】
本体１の他端開口を底部３で塞いだ後、本体１の内壁片８を本体１の内側に折り込む。この状態のときに本体１の内部に商品等を収納し、次いで本体１上辺側の２つのサイドフラップ１０を折り曲げる。最後に、蓋部２の差込片１２の係止爪１３を起こした状態で、蓋片１１および差込片１２を折り曲げ、差込片１２を本体１の内部に差し込んで内壁片８と対向させる。これにより、蓋部２が本体１の一端開口を塞ぎ、差込片１２の係止爪１３が内壁片８の係止孔８ａに入り込んだ状態となり、組み立てが完了する。
【００２５】
上述したように組み立てが完了した状態では、底部３は本体１と一体化されており、蓋部２の差込片１２を本体１から引き抜こうとすると、差込片１２の係止爪１３が本体１内側の内壁片８の係止孔８ａに引っ掛かって係止されるので、蓋部２または底部３を無理に変形させなければ開けることができない。
【００２６】
一方、この包装箱を消費者が開封するときは、まず、図５（ａ）に示すように、蓋部２の蓋片１１をミシン目１１ｂに沿って切断し、扇形のつまみ１６を切り起こしにより形成する。このとき、蓋片１１のミシン目１１ｂは側縁の切欠き１１ａの底部から差込片１２との境界にかけて設けられているので、ミシン目１１ｂの切断およびつまみ１６の引き起こしは容易に行える。
【００２７】
そして、図５（ｂ）に示すように、一方の手で包装箱を持ち、他方の手でつまみ１６をつまんで引き上げることにより、差込片１２の係止爪１３がわずかに変形して内壁片８の係止孔８ａから抜け出し、図５（ｃ）に示すように、蓋部２全体を開くことができる。
【００２８】
この包装箱は、上記の構成であり、蓋部２または底部３を無理に変形させるか、あるいは蓋部２の蓋片１１のミシン目１１ｂを切断して引き起こしたつまみ１６を引っ張らないと開封できず、改ざんした場合は変形やミシン目１１ｂの切断が一目でわかるので、効果的に改ざんを防止することができる。
【００２９】
なお、上述した実施形態では包装箱を紙製としたが、包装箱の材質はこれに限らず、プラスチック等とすることもできる。また、蓋部の蓋片のミシン目は、実施形態のように蓋片の側縁から差込片との境界にかけて設けることが望ましいが、差込片との境界に両端を有する略Ｕ字状等としてもよい。
【符号の説明】
【００３０】
１  本体
２  蓋部
３  底部
８  内壁片
８ａ  係止孔
１１  蓋片
１１ａ  切欠き
１１ｂ  ミシン目
１２  差込片
１３  係止爪
１６  つまみ
【図１】
2014108819.tif 000003
【図２】
2014108819.tif 000004
【図３】
2014108819.tif 000005
【図４】
2014108819.tif 000006
【図５】
2014108819.tif 000007